(57)【要約】【課題】送風の効率を向上させることができる空気調和機を提供する。【解決手段】空気調和機は、ケーシング２と、ターボファンであるファンロータ５１とを備える。ケーシング２は、距離を隔てて配置される第１吹出し口６および第２吹出し口７と、第１吹出し口６と第２吹出し口７とに連通するファン収納空間ＳＰ３とを有する。ここで、第１吹出し口６は第２吹出し口７よりも大きい。ファンロータ５１は、ファン収納空間ＳＰ３に収納され、第１吹出し口６および第２吹出し口７との間に配置される。そして、ファンロータ５１の回転中心Ｏ１は、ファン収納空間ＳＰ３の中心Ｏ２に対して、少なくとも第１吹出し口６と第２吹出し口７とを結ぶ方向に直交する方向にずらして配置される。【選択図】図５
2007183016.tif 000002
【特許請求の範囲】
【請求項１】
距離を隔てて配置される第１吹出し口（６）および第２吹出し口（７）と、前記第１吹出し口（６）と前記第２吹出し口（７）とに連通するファン収納空間（ＳＰ３）とを有するケーシング（２）と、
前記ファン収納空間（ＳＰ３）に収納され、前記第１吹出し口（６）および前記第２吹出し口（７）との間に配置されるターボファン（５１）と、
を備え、
前記第１吹出し口（６）は前記第２吹出し口（７）よりも大きく、
前記ターボファン（５１）の回転中心（Ｏ１）は、前記ファン収納空間（ＳＰ３）の中心（Ｏ２）に対して、少なくとも前記第１吹出し口（６）と前記第２吹出し口（７）とを結ぶ方向に直交する方向にずらして配置される、
空気調和機（１）。
【請求項２】
前記ターボファン（５１）のうち回転の周方向ベクトルが前記第１吹出し口（６）に向かう方向となる第１位置と前記ファン収納空間（ＳＰ３）の内側壁（１７）との距離（ｄ１）は、前記ターボファン（５１）のうち回転の周方向ベクトルが前記第２吹出し口（７）に向かう方向となる第２位置と前記ファン収納空間（ＳＰ３）の内壁面（１８）との距離（ｄ２）よりも大きい、
請求項１に記載の空気調和機（１）。
【請求項３】
前記第１吹出し口（６）が前記ターボファン（５１）の上側に位置し、前記第２吹出し口（７）が前記ターボファン（５１）の下側に位置するように前記ターボファン（５１）の回転軸方向から見た場合において、前記ターボファン（５１）は左回りに回転し、前記ターボファン（５１）の回転中心（Ｏ１）は、前記ファン収納空間（ＳＰ３）の中心（Ｏ２）に対して左側にずらして配置されている、
請求項１または２に記載の空気調和機（１）。
【請求項４】
前記第１吹出し口（６）が前記ターボファン（５１）の上側に位置し、前記第２吹出し口（７）が前記ターボファン（５１）の下側に位置するように前記ターボファン（５１）の回転軸方向から見た場合において、前記ターボファン（５１）は右回りに回転し、前記ターボファン（５１）の回転中心（Ｏ１）は、前記ファン収納空間（ＳＰ３）の中心（Ｏ２）に対して右側にずらして配置されている、
請求項１または２に記載の空気調和機（１）。
【請求項５】
前記ケーシング（２）は、前記ターボファン（５１）を間に挟んで前記第１吹出し口（６）と前記第２吹出し口（７）とを結ぶ方向に直交する方向に距離を隔てて配置される第１吸込み口（８）および第２吸込み口（９）をさらに有する、
請求項１から４のいずれかに記載の空気調和機（１）。
【請求項６】
前記第２吹出し口（７）を開閉する開閉部（６４）と、
前記開閉部（６４）を制御し、前記第２吹出し口（７）を閉じて前記第１吹出し口（６）から空気を吹き出させる運転を行う制御部（８０）と、
をさらに備える請求項１から５のいずれかに記載の空気調和機（１）。
【発明の詳細な説明】
【技術分野】
【０００１】
本発明は、空気調和機に関する。
【背景技術】
【０００２】
従来、空気調和機において、ターボファンを駆動することによって、吸込み口から吸い込まれ吹出し口から吹き出される空気の流れを生成するものがある（特許文献１参照）。ターボファンは、回転軸方向から空気を吸い込み、遠心方向に空気を吹き出す。ターボファンから吹き出された空気は、吹出し口から室内へと吹き出される。
【特許文献１】特開２００２−１９５６４２号公報
【発明の開示】
【発明が解決しようとする課題】
【０００３】
ところで、上記のようなターボファンを備えた空気調和機において、ターボファンを挟んで２つの吹出し口を配置し、同一のターボファンによって２つの吹出し口から空気を吹き出させることが考えられる。そして、２つの吹出し口の大きさを互いに異なるものとして吹き出される空気の風量を吹出し口毎に変えることにより、快適な空調環境を実現することができる。
【０００４】
しかし、吹出し口の大きさが異なると吹き出しの抵抗も異なるため、同一のターボファンによって２つの吹出し口へ空気を送る場合には、送風の効率が低下する恐れがある。
本発明の課題は、送風の効率を向上させることができる空気調和機を提供することにある。
【課題を解決するための手段】
【０００５】
第１発明に係る空気調和機は、ケーシングと、ターボファンとを備える。ケーシングは、距離を隔てて配置される第１吹出し口および第２吹出し口と、第１吹出し口と第２吹出し口とに連通するファン収納空間とを有する。ここで、第１吹出し口は第２吹出し口よりも大きい。ターボファンは、ファン収納空間に収納され、第１吹出し口および第２吹出し口との間に配置される。そして、ターボファンの回転中心は、ファン収納空間の中心に対して、少なくとも第１吹出し口と第２吹出し口とを結ぶ方向に直交する方向にずらして配置される。
この空気調和機では、ターボファンの回転中心は、ファン収納空間の中心からずらして配置される。このため、第１吹出し口と第２吹出し口との大きさの相違による吹き出し抵抗の相違を緩和することができる。これにより、送風の効率を向上させることができる。
【０００６】
第２発明に係る空気調和機は、第１発明の空気調和機であって、ターボファンのうち回転の周方向ベクトルが第１吹出し口に向かう方向となる第１位置とファン収納空間の内壁面との距離は、ターボファンのうち回転の周方向ベクトルが第２吹出し口に向かう方向となる第２位置とファン収納空間の内壁面との距離よりも大きい。
【０００７】
この空気調和機では、第１位置とファン収納空間の内壁面との距離が、第２位置とファン収納空間の内壁面との距離よりも大きい。第１位置は、ターボファンのうち回転の周方向ベクトルが第１吹出し口に向かう方向となる位置であるため、第１位置とファン収納空間の内壁面との間の空気の多くが第１吹出し口へと送られる。このため、比較的大きい第１位置近傍の空間から比較的大きい第１吹出し口へと空気が送られることになり、第１吹出し口へと送られる空気の経路の急拡大が抑えられる。これにより、経路の拡大による圧損が低減され、送風の効率を向上させることができる。
【０００８】
第３発明に係る空気調和機は、第１発明または第２発明の空気調和機であって、第１吹出し口がターボファンの上側に位置し、第２吹出し口がターボファンの下側に位置するようにターボファンの回転軸方向から見た場合において、ターボファンは左回りに回転し、ターボファンの回転中心は、ファン収納空間の中心に対して左側にずらして配置されている。
【０００９】
この空気調和機では、上記のようにターボファンを見た場合において、ターボファンの右側にある空気の多くが第１吹出し口へと送られ、ターボファンの左側にある空気の多くが第２吹出し口へと送られる。このため、ターボファンの回転中心がファン収納空間の中心に対して左側にずらして配置されることにより、比較的大きいターボファンの右側の空間から比較的大きい第１吹出し口へと空気が送られることになり、第１吹出し口へ送られる空気の経路の急拡大が抑えられる。これにより、経路の拡大による圧損が低減され、送風の効率を向上させることができる。
【００１０】
第４発明に係る空気調和機は、第１発明または第２発明の空気調和機であって、第１吹出し口がターボファンの上側に位置し、第２吹出し口がターボファンの下側に位置するようにターボファンの回転軸方向から見た場合において、ターボファンは右回りに回転し、ターボファンの回転中心は、ファン収納空間の中心に対して右側にずらして配置されている。
【００１１】
この空気調和機では、上記のようにターボファンを見た場合において、ターボファンの左側にある空気の多くが第１吹出し口へと送られ、ターボファンの右側にある空気の多くが第２吹出し口へと送られる。このため、ターボファンの回転中心がファン収納空間の中心に対して右側にずらして配置されることにより、比較的大きいターボファンの左側の空間から比較的大きい第１吹出し口へと空気が送られることになり、第１吹出し口へ送られる空気の経路の急拡大が抑えられる。これにより、経路の拡大による圧損が低減され、送風の効率を向上させることができる。
【００１２】
第５発明に係る空気調和機は、第１発明から第４発明のいずれかの空気調和機であって、ケーシングは、第１吸込み口および第２吸込み口をさらに有する。第１吸込み口および第２吸込み口は、ターボファンを間に挟んで第１吹出し口と第２吹出し口とを結ぶ方向に直交する方向に距離を隔てて配置される。
この空気調和機では、第１吸込み口および第２吸込み口がターボファンを間に挟んで第１吹出し口と第２吹出し口とを結ぶ方向に直交する方向に距離を隔てて配置される。このため、ターボファンの回転中心が、ファン収納空間の中心に対して、第１吹出し口と第２吹出し口とを結ぶ方向に直交する方向にずらして配置されると、第１吸込み口からターボファンまでの吸い込み距離と、第２吸込み口からターボファンまでの吸い込み距離とが相違する。この空気調和機では、この吸い込み距離の相違によって、吹き出し抵抗の相違を相殺することができ、送風の効率を向上させることができる。
【００１３】
第６発明に係る空気調和機は、第１発明から第５発明のいずれかの空気調和機であって、開閉部と制御部とをさらに備える。開閉部は、第２吹出し口を開閉する。制御部は、開閉部を制御し、第２吹出し口を閉じて第１吹出し口から空気を吹き出させる運転を行う。
この空気調和機では、開閉部によって第２吹出し口が閉じられ、第１吹出し口から空気が吹き出される運転が行われる。このような場合、第１吹出し口と第２吹出し口の吹き出し抵抗の相違がより大きくなるが、上記のようにターボファンの回転中心をずらして配置することによって送風の効率の低下を抑えることができる。
【発明の効果】
【００１４】
第１発明に係る空気調和機では、ターボファンの回転中心は、ファン収納空間の中心からずらして配置される。このため、第１吹出し口と第２吹出し口との大きさの相違による吹き出し抵抗の相違を緩和することができる。これにより、送風の効率を向上させることができる。
第２発明に係る空気調和機では、第１位置とファン収納空間の内壁面との間の空気の多くが第１吹出し口へと送られる。このため、比較的大きい第１位置近傍の空間から比較的大きい第１吹出し口へと空気が送られることになり、第１吹出し口へと送られる空気の経路の急拡大が抑えられる。これにより、経路の拡大による圧損が低減され、送風の効率を向上させることができる。
【００１５】
第３発明に係る空気調和機では、上記のようにターボファンを見た場合において、比較的大きいターボファンの右側の空間から比較的大きい第１吹出し口へと空気が送られることになり、第１吹出し口へ送られる空気の経路の急拡大が抑えられる。これにより、経路の拡大による圧損が低減され、送風の効率を向上させることができる。
第４発明に係る空気調和機では、上記のようにターボファンを見た場合において、比較的大きいターボファンの左側の空間から比較的大きい第１吹出し口へと空気が送られることになり、第１吹出し口へ送られる空気の経路の急拡大が抑えられる。これにより、経路の拡大による圧損が低減され、送風の効率を向上させることができる。
【００１６】
第５発明に係る空気調和機では、第１吸込み口からターボファンまでの吸い込み距離と、第２吸込み口からターボファンまでの吸い込み距離とが相違する。この空気調和機では、この吸い込み距離の相違によって、吹き出し抵抗の相違を相殺することができ、送風の効率を向上させることができる。
第６発明に係る空気調和機では、第１吹出し口と第２吹出し口の吹き出し抵抗の相違がより大きくなるが、上記のようにターボファンの回転中心をずらして配置することによって送風の効率の低下を抑えることができる。
【発明を実施するための最良の形態】
【００１７】
＜構成＞
本発明の一実施形態に係る空気調和機１を図１から図３に示す。図１は、空気調和機１の前面図であり、図２は、空気調和機１の側面図である。また、図３は、空気調和機１の側面断面図である。この空気調和機１は、床置き型の室内機であり、ケーシング２と、フィルター３ａと、室内熱交換器４と、送風装置５と、制御部８０（図６参照）とを備える。なお、以下の説明において、上下左右という場合は、空気調和機１の前面視における上下左右を意味している。
【００１８】
〔ケーシング２〕
〈ケーシング２の全体構成〉
ケーシング２は、合成樹脂製の中空の筐体からなり、フィルター３ａ、室内熱交換器４、ベルマウス１３、送風装置５を内部に収納している。ケーシング２には、第１吹出し口６、第２吹出し口７、第１吸込み口８，第２吸込み口９、第３吸込み口１０、第４吸込み口１１が設けられている。
【００１９】
第１吹出し口６と第２吹出し口７とはケーシング２の前面に設けられている。第１吹出し口６は、ケーシング２の前面の上端に沿って設けられた横長形状の開口であり、室内へ吹き出される空気が通る。第２吹出し口７は、ケーシング２の前面の下端に沿って設けられた横長形状の開口であり、室内へ吹き出される空気が通る。なお、第１吹出し口６には、第１吹出し口６から吹き出される空気を案内する第１フラップ６１が回動自在に設けられており、第１フラップ６１がフラップモータ６３（図６参照）によって回動することにより第１吹出し口６が開閉される。また、第２吹出し口７には、第２吹出し口７から吹き出される空気を案内する第２フラップ６２が回動自在に設けられている。また、第２吹出し口７の後方には、第２吹出し口７を開閉するシャッター部材６４が回動自在に設けられている。シャッター部材６４は、シャッターモータ６５（図６参照）によって回動することによって第２吹出し口７を開閉する。第１吹出し口６と第２吹出し口７とは左右方向の長さが概ね同じであるが、第１吹出し口６と第２吹出し口７とは大きさが相違しており、第１吹出し口６の方が第２吹出し口７よりも大きい。なお、図１においては、第２吹出し口７の方が第１吹出し口６よりも左右方向の長さが大きいように見えるが、ケーシング２の内部において内部の空間と連通している部分の長さに関しては、第１吹出し口６と第２吹出し口７との左右方向の長さは概ね同じである。
【００２０】
第１吸込み口８と第２吸込み口９とは、ケーシング２の左右の側面にそれぞれ設けられており、左右方向に距離を隔てて配置されている。第１吸込み口８は、ケーシング２の右側面の前端に沿って設けられた縦長形状の開口であり、室内からケーシング２の内部に吸い込まれる空気が通る。第２吸込み口９は、ケーシング２の左側面の前端に沿って設けられた縦長形状の開口であり、室内からケーシング２の内部に吸い込まれる空気が通る。
【００２１】
第３吸込み口１０と第４吸込み口１１とはケーシング２の前面に設けられている。第３吸込み口１０は、第１吹出し口６の下方に設けられた横長形状の開口であり、室内からケーシング２の内部に吸い込まれる空気が通る。第４吸込み口１１は、第２吹出し口７の上方に設けられた横長形状の開口であり、室内からケーシング２の内部に吸い込まれる空気が通る。また、ケーシング２の前面のうち第３吸込み口１０と第４吸込み口１１との間には、開口が設けられていない平坦なフラットパネル部２０が設けられている。
なお、ケーシング２は、ケーシング本体２１と、ケーシング本体２１の前面に着脱自在に取り付けられる前面パネル２２とを有しており、第２吹出し口７と、第１吸込み口８、第２吸込み口９、第３吸込み口１０、第４吸込み口１１は、前面パネル２２に設けられている。なお、第１吹出し口６はケーシング本体２１に設けられている。
【００２２】
〈前面パネル〉
前面パネル２２は、ケーシング本体２１の前面よりも小さな外形を有しており、前面視において、第１吹出し口６の下方に配置されている。第３吸込み口１０は、前面パネル２２の上端近傍に配置されており、第２吹出し口７は、前面パネル２２の下端近傍に配置されている。なお、第４吸込み口１１は上述したように第２吹出し口７の上方に設けられている。また、前面パネル２２の前面は、ケーシング本体２１の前面から前方に僅かな距離を隔てて配置されており、前面パネル２２の前面側端部とケーシング本体２１の前面とを繋ぐ前面パネル２２の側面には、第１吸込み口８および第２吸込み口９が設けられている。前面パネル２２の右側面は、図４に示すように、前面視において、ケーシング本体２１の右側面よりも僅かに内側に位置しており、ケーシング本体２１の内部に収納された室内熱交換器４の右端部よりも外側に位置している。このため、第１吸込み口８は、室内熱交換器４の右端部よりも外側すなわち右側に位置している。また、前面パネル２２の左側面は、前面視において、ケーシング本体２１の左側面よりも僅かに内側に位置しており、ケーシング本体２１の内部に収納された室内熱交換器４の左端部に概ね対向している。このため、第２吸込み口９は、室内熱交換器４の左端部と概ね対向する位置に設けられている。また、前面パネル２２の前面上端部とケーシング本体２１の前面とを繋ぐ前面パネル２２の上面と、前面パネル２２の前面下端とケーシング本体２１の前面とを繋ぐ前面パネル２２の下面とは閉じられている。なお、第３吸込み口１０は、前面パネル２２の前面ではなく、前面パネル２２の上面に設けられてもよい。
【００２３】
以上のように、ケーシング２には、前面パネル２２のフラットパネル部２０の周囲の上下左右４方向に第１吸込み口８から第４吸込み口１１がそれぞれ配置されており、フラットパネル部２０の上下左右４方向から空気が吸い込まれる。
〈ケーシング本体〉
ケーシング本体２１は、前面が大きく開口しており、前面パネル２２によって開口が塞がれる。図３に示すように、ケーシング本体２１の内部には、フィルター３ａ、室内熱交換器４、ベルマウス１３、送風装置５が、ケーシング本体２１の前面の開口に対向して、前方から後方に向けて順に配置されている。
【００２４】
〈ケーシング２の内部空間〉
ケーシング２の内部空間は、吸い込み空間ＳＰ１、熱交換器収納空間ＳＰ２、ファン収納空間ＳＰ３の３つの空間に分かれている。
吸い込み空間ＳＰ１は、前面パネル２２とフィルター３ａとの間に形成された空間であり、各吸込み口８−１１から吸い込まれフィルター３ａを透過する空気が通る。
【００２５】
熱交換器収納空間ＳＰ２は、フィルター３ａとベルマウス１３との間に形成されており、室内熱交換器４を収納する空間である。熱交換器収納空間ＳＰ２は、吸い込み空間ＳＰ１の後方に位置している。なお、吸い込み空間ＳＰ１と熱交換器収納空間ＳＰ２とは、前面視において、第１吹出し口６と第２吹出し口７との間に位置している。フィルター３ａを透過した空気は、熱交換器収納空間ＳＰ２を通り、室内熱交換器４によって熱交換される。
【００２６】
ファン収納空間ＳＰ３は、熱交換器収納空間ＳＰ２の後方、上方および下方を覆うように配置されており、熱交換器収納空間ＳＰ２の後方に送風装置５が収納されている。ファン収納空間ＳＰ３は、ベルマウス１３の空気導入口１４を介して熱交換器収納空間ＳＰ２に連通している。また、ファン収納空間ＳＰ３は、熱交換器収納空間ＳＰ２の後方からケーシング２の上面および底面に向けて延びており、第１吹出し口６と第２吹出し口７とに連通している。このため、ベルマウス１３の空気導入口１４からファン収納空間ＳＰ３に入った空気は、上方と下方とに分岐して、それぞれ第１吹出し口６と第２吹出し口７とから吹き出される。また、図５に示すように、ファン収納空間ＳＰ３の左右方向の長さは、室内熱交換器４、第１吹出し口６および第２吹出し口７の左右方向の長さと概ね同じである。なお、ファン収納空間ＳＰ３の側方は、第１側壁１７（内壁面）および第２側壁１８（内壁面）によって閉じられており、第１側壁１７の右側方は電装品等が収納される空間となっている。
【００２７】
〔フィルター３ａ〕
フィルター３ａは、フラットパネル部２０の後方においてフラットパネル部２０に対向して配置されており、ケーシング本体２１の前面の開口を覆うように取り付けられている。フィルター３ａは、空気の流れにおいて、各吸込み口８−１１の下流に位置している。フィルター３ａは、各吸込み口８−１１から吸い込まれた空気を後方に透過させ、透過する空気を清浄化する。
【００２８】
〔室内熱交換器４〕
室内熱交換器４は、図示しない室外熱交換器と共に冷媒回路を構成しており、通過する空気との間で熱交換を行う。室内熱交換器４は、フィルター３ａの後方にフィルター３ａに対向して配置されており、空気の流れにおいて、フィルター３ａの下流に位置している。室内熱交換器４は、薄い板状の外形を有しており、前面視においてフィルター３ａと同程度の大きさを有する。室内熱交換器４は、フラットパネル部２０に平行に設けられている。
【００２９】
〔送風装置５〕
送風装置５は、室内熱交換器４の後方において室内熱交換器４に対向して配置されており、空気の流れにおいて、室内熱交換器４の下流に位置している。送風装置５は、第１吹出し口６と第２吹出し口７よりも後方に位置しているが、前面視において第１吹出し口６と第２吹出し口７との間に配置されている。また、送風装置５は、前面視において、第１吸込み口８および第２吸込み口９との間に配置されている。また、送風装置５は、遠心方向に風を吹き出す遠心ファンの一種であるターボ送風機であり、各吸込み口８−１１から吸い込まれ各吹出し口６，７から吹き出される空気の流れを生成する。送風装置５は、ファンロータ５１、ファンモータ５２、ファンカバー５３を有している。
【００３０】
ファンロータ５１は、回転軸ＡＸ１が前後方向に水平になるように配置されており、回転軸ＡＸ１から螺旋を描きながら離れるように配置された複数枚の羽根を有している。図４に示すように、ファンロータ５１の回転中心Ｏ１は、前面視において、ファン収納空間ＳＰ３の中心Ｏ２に対して、第１吹出し口６と第２吹出し口７とを結ぶ方向に直交する方向、すなわち、左右方向にずらして配置されている。ここで、ファンロータ５１は前面視において左回りに回転するため、ファンロータ５１の回転中心Ｏ１は、ファン収納空間ＳＰ３の中心Ｏ２に対して左側にずらして配置されている。このため、図５に示すように、ファンロータ５１のうち回転の周方向ベクトルが第２吹出し口７から第１吹出し口６に向かう方向（矢印Ａ１参照）となる第１位置とファン収納空間ＳＰ３の第１側壁１７との距離は、ファンロータ５１のうち回転の周方向ベクトルが第１吹出し口６から第２吹出し口７に向かう方向（矢印Ａ２参照）となる第２位置とファン収納空間ＳＰ３の第２側壁１８との距離よりも大きくなっている。すなわち、ファンロータ５１の右側端部と第１側壁１７までの距離ｄ１は、ファンロータ５１の左側部と第２側壁１８までの距離ｄ２より大きい。このファンロータ５１の回転中心Ｏ１のずれは、例えば、１０ｍｍ〜２０ｍｍである。
【００３１】
ファンモータ５２は、ファンロータ５１を回転駆動する駆動源であり、ファンロータ５１の後方に配置される。
ファンカバー５３は、ファンロータ５１の前方に配置される部材であり、空気導入口１４から吹き出される空気をファンロータ５１に案内する。ファンカバー５３の前面には、ファンカバー５３内に取り込まれる空気が通る開口が設けられている。ファンカバー５３の前面の開口を通った空気は、ファンロータ５１によって遠心方向に吹き出されることにより上下に分岐し、第１吹出し口６および第２吹出し口７から室内に吹き出される。
【００３２】
〔ベルマウス１３〕
ベルマウス１３は、室内熱交換器４と送風装置５との間に設けられており、熱交換器収納空間ＳＰ２とファン収納空間ＳＰ３とを仕切る部材である。ベルマウス１３は、平坦部１５と円管部１６とを有している。
平坦部１５は、前面視において室内熱交換器４と同程度の大きさの外形を有しており、室内熱交換器４の後面に対向して室内熱交換器４と平行に設けられている。平坦部１５には、上述した空気導入口１４が設けられており、平坦部１５の空気導入口１４の周縁に円管部１６の前端が繋がっている。
【００３３】
なお、円管部１６は前端側が拡径するように湾曲しており、空気導入口１４の周縁と緩やかに繋がっている。また、円管部１６の後端は、ファンカバー５３の前面の開口を通ってファンカバー５３の内部に入り込んでいる。
また、空気導入口１４は、図４に示すように、前面視において室内熱交換器４よりも小さな外形を有しており、円管部１６も前面視において室内熱交換器４よりも小さな外形を有している。空気導入口１４は、前面視において、送風装置５のファンロータ５１の外径よりも小さい円形の形状を有している。空気導入口１４は、ファンロータ５１の回転中心Ｏ１と同心に配置されている。
【００３４】
上述したように、ファンロータ５１の回転中心Ｏ１はファン収納空間ＳＰ３の左右方向の中心よりも左側にずれているため、空気導入口１４の中心も左側にずれている。また、第１吸込み口８は、前面視においてファン収納空間ＳＰ３の第１側壁１７よりも右側に位置し、第２吸込み口９は、ファン収納空間ＳＰ３の第２側壁１８と対向している。このため、第１吸込み口８から空気導入口１４までの吸い込み距離は、第２吸込み口９から空気導入口１４までの吸い込み距離よりも長くなっている。
【００３５】
〔制御部８０〕
制御部８０は、図６に示すように、各種センサー８１からの情報およびリモコン８２からの指令信号等に基づいて空気調和機１の制御を行う。制御部８０は、図示しない室外機内に配置された各種の室外機部品８３、ファンモータ５２、フラップモータ６３、シャッターモータ６５等を制御することによって、冷暖房等の空気調和運転を行うことができる。また、この制御部８０は、シャッター部材６４を閉じ且つ第１フラップ６１を開くように制御することにより、第２吹出し口７からの空気の吹き出しを行わずに第１吹出し口６からの空気の吹き出しのみを行う第１吹出し口優先運転を行うことができる。例えば、冷房運転時に第１吹出し口優先運転を行うことにより、足下の冷えを防止して室内を適切に冷房することができる。
【００３６】
＜特徴＞
（１）
この空気調和機１では、送風装置５のファンロータ５１の回転中心Ｏ１が、上記のように左側に偏心して設けられており、ファンロータ５１の右側端部と第１側壁１７までの距離ｄ１は、ファンロータ５１の左側部と第２側壁１８までの距離ｄ２より大きくなっている。このため、比較的大きい右側端部と第１側壁１７との間の空間から比較的大きい第１吹出し口６へと空気が送られることになり、第１吹出し口６へと送られる空気の経路の急拡大が抑えられる。これにより、経路の拡大による圧損が低減され、送風の効率を向上させることができる。
【００３７】
（２）
この空気調和機１では、送風装置５のファンロータ５１の回転中心Ｏ１が、上記のように左側に偏心して設けられることにより、第１吸込み口８からファンロータ５１までの吸い込み距離と、第２吸込み口９からファンロータ５１までの吸い込み距離とが相違しており、第１吸込み口８からファンロータ５１までの吸い込み距離の方が長い。このため、第１吸込み口８からファンロータ５１までの吸い込み抵抗は、第２吸込み口９からファンロータ５１までの吸い込み抵抗よりも大きい。一方、第１吹出し口６は第２吹出し口７よりも大きいため、ファンロータ５１から第１吹出し口６までの吹き出し抵抗は、ファンロータ５１から第２吹出し口７までの吹き出し抵抗よりも小さい。このため、この空気調和機１では、吸い込み抵抗の相違により吹き出し抵抗の相違が相殺され、送風の効率を向上させることができる。
【００３８】
（３）
この空気調和機１では、第２吹出し口７を閉じ第１吹出し口６からの空気の吹き出しのみを行う第１吹出し口優先運転が行われる。この場合、第１吹出し口６からの空気の吹き出し抵抗は小さく、第２吹出し口７からの空気の吹き出し抵抗は大きくなるが、上記のようにファンロータ５１が偏心して設けられることにより、送風の効率の低下を抑えることができる。
【００３９】
＜他の実施形態＞
（Ａ）
上記の実施形態では、ファンロータ５１が左回りの場合について説明しているが、ファンロータ５１が右回りの場合には、ファンロータ５１の回転中心を右側にずらすことで、上記と同様の効果を奏することができる。
【００４０】
（Ｂ）
上記の実施形態では、第１吸込み口８と第２吸込み口９とを結ぶ方向と直交する方向にファンロータ５１の回転中心Ｏ１をずらしているが、第１吸込み口８と第２吸込み口９とを結ぶ方向にさらにずらしてもよい。すなわち、ファンロータ５１の回転中心を左右方向にずらすだけではなく上下方向にもずらすことにより、送風効率の最適化を図ることができる。
【００４１】
（Ｃ）
上記の実施形態では、床置き型の空気調和機１に本発明が適用されているが、壁掛け型や天井配置型などの他の形式の空気調和機に適用されてもよい。
【産業上の利用可能性】
【００４２】
本発明は、送風の効率を向上させることができる効果を有し、空気調和機として有用である。
【図面の簡単な説明】
【００４３】
【図１】空気調和機の前面図。
【図２】空気調和機の側面図。
【図３】空気調和機の側面断面図。
【図４】ファンロータと他の構成との位置関係を示す図。
【図５】ファンロータのファン収納空間での配置を示す模式図。
【図６】空気調和機の制御ブロック図。
【符号の説明】
【００４４】
１      空気調和機
２      ケーシング
６      第１吹出し口
７      第２吹出し口
８      第１吸込み口
９      第２吸込み口
５１      ファンロータ（ターボファン）
６４    シャッター部材（開閉部）
８０    制御部
Ｏ１    回転中心
Ｏ２    ファン収納空間の中心
ＳＰ３  ファン収納空間
【図１】
2007183016.tif 000003
【図２】
2007183016.tif 000004
【図３】
2007183016.tif 000005
【図４】
2007183016.tif 000006
【図５】
2007183016.tif 000007
【図６】
2007183016.tif 000008